(57)【要約】      （修正有）【課題】残留ガスの排出が容易で、ガス抜き作業の中途でも作動を解除できる機能を有する残留ガス抜き機構付きエアゾール容器を提供する。【解決手段】上方へ付勢された状態のバルブステム４が起立する容器本体１と、前記容器本体１の上端部に嵌着されたカバー体１０と、前記バルブステム４に嵌着されて上下動可能に配備された押しボタン３０と、を有してなり、前記カバー体１０の周壁１１にスリット１６を設けることにより、内方に弾性変形可能にして弾性復帰可能な掛止板部１７を形成し、且つ前記押しボタン３０の外側に、該押しボタン３０が継続噴射可能な押し下げ位置において内方に弾性変形させた前記掛止板部１７と係合可能な上向き突起３７を形成し、掛止板部１７に前記押しボタン３０の上向き突起３７を係合させて継続噴射を可能とし、前記押しボタン３０を更に押圧して下降させることで係合を解除させて、継続噴射の中止を可能とした。【選択図】図２
2007320648.tif 000002
【特許請求の範囲】
【請求項１】
エアゾール缶の上端をエアゾールバルブで密閉し中央に上下動可能に上方へ付勢された状態のバルブステムが起立する容器本体と、前記容器本体の上端部に嵌着されたカバー体と、前記バルブステムに嵌着されて前記カバー体の内側に上下動可能に配備された押しボタンと、を有してなり、前記カバー体の周壁にスリットを設けることにより、内方に弾性変形可能にして弾性復帰可能な掛止板部を形成し、且つ前記押しボタンの外側に、該押しボタンが継続噴射可能な押し下げ位置において内方に弾性変形させた前記掛止板部と係合可能な上向き突起を形成し、内方に弾性変形させた前記カバー体の掛止板部に前記押しボタンの上向き突起を係合させることにより継続噴射を可能とするとともに、前記押しボタンを更に押圧して下降させることにより、前記掛止板部と押しボタンとの係合が解除されて、継続噴射の中止を可能としたことを特徴とする残留ガス排出機構付きエアゾール容器。
【請求項２】
スリットが、カバー体の周壁の周方向へ延びて設けられていることを特徴とする請求項１記載の残留ガス排出機構付きエアゾール容器。
【請求項３】
掛止板部が、カバー体の周壁上端に開放された縦方向の二条のスリットで形成され、前記掛止板部の上端内側には押しボタンの上向き突起と係合する下向き突起が形成されていることを特徴とする請求項１記載の残留ガス排出機構付きエアゾール容器。
【請求項４】
掛止板部が、カバー体の周壁の中心を挟んで対向して形成されていることを特徴とする請求項３記載の残留ガス排出機構付きエアゾール容器。
【発明の詳細な説明】
【技術分野】
【０００１】
本発明は、内容物を液化ガスで噴出させるエアゾール容器に関し、詳しくは、使用済みのエアゾール容器に残留するガスを容易に排出することのできる排出機構付きエアゾール容器に関する。
【背景技術】
【０００２】
使用済みエアゾール容器には、使用によって放出しきれなかった液化ガスが残留しており、使用済みエアゾール容器がそのまま廃棄されると、廃棄された環境よっては破裂したり、火中に投じられると爆発するおそれがあった。従って、消費者が廃棄する際に残留ガスを完全に放出しておくことが望まれている。
【０００３】
消費者が押しボタンを押し続けて残留ガスを完全に放出する手段は、作業時間と労力がかかり過ぎるうえに、ガス抜きが不完全に終わり易いことから、消費者が確実にガス抜きをするには、金槌やポンチ等の器具を使って使用済みエアゾール容器に孔を開ける必要がある。
【０００４】
しかしながら、この残留ガス抜き手段は、作業性が悪いうえに、放出ガスとともに容器内に付着している残留内容物の噴出により、周辺や衣服を汚染してしまう虞があり、作業が面倒であるのでガス抜きを行わないで廃棄されてしまうことが多い。
【０００５】
このような問題に対応して、消費者が使用済みエアゾール容器の押しボタンを簡単に継続噴射状態にできれば、消費者の手で確実に残留ガスを抜くことができるので、使用済みエアゾール容器を廃棄する際に、消費者が簡単に継続噴射状態に操作できる残留ガス抜き機構を備えたものが多数提案されている。
【０００６】
例えば、特開２００２−６８３３９号公報や、特開２００２−２５５２６６号公報には、押しボタンとカバー体の部分に相互に係合する係合手段を形設し、押しボタンの押し下げ時に、押しボタンとカバー体をそれぞれの係合手段によって係合させることにより継続噴射を可能とした残留ガス抜き機構を備えたエアゾール容器が開示されている。
【０００７】
これらの物は、消費者が、廃棄する前に押しボタンを押し下げて、押しボタンとカバー体を係合しておけば、押しボタンを押し続けなくても残留ガスが放出されるので、煩わしいガス抜き作業をすることなく使用済みエアゾール容器のガスを完全に抜き去ることが出来るものである。
【特許文献１】特開２００２−６８３３９号公報
【特許文献２】特開２００２−２５５２６６号公報
【発明の開示】
【発明が解決しようとする課題】
【０００８】
押しボタンに設けた係合手段とカバー体に設けた係合手段とを係合させて、ガスの放出を継続させることにより残留ガス抜きをする従来公知のガス抜き機構は、押し下げた押しボタンとカバー体とが係合すると、簡単には係合状態が解除できない構成となっており、廃棄後も噴射状態が確実に継続する。
【０００９】
しかしながら、係合手段を作動させるガス抜き機構によって残留ガスを完全に排出するには、それなりの放出時間を要するので、消費者がガス抜き作業中に用事が発生してガス抜き作業を中断しなければならない事態も想定されるが、従来公知の残留ガス抜き機構は、この点についての配慮が全くなされておらず、作業者は排出が終了する迄見守るか、継続噴射中のものを完了を待たずして廃棄しなければならなかった。
【００１０】
本発明は、上記の問題に鑑みてなされたもので、残留ガスの排出が容易にできるとともに、ガス抜き作業の中途でも、速やかにガス抜き作動を解除できる機能を有する残留ガス抜き機構付きエアゾール容器にすることを課題にしている。
【課題を解決するための手段】
【００１１】
本発明は、上記の問題を解決する為に、エアゾール缶の上端をエアゾールバルブで密閉し中央に上下動可能に上方へ付勢された状態のバルブステムが起立する容器本体と、前記容器本体の上端部に嵌着されたカバー体と、前記バルブステムに嵌着されて前記カバー体の内側に上下動可能に配備された押しボタンと、を有してなり、前記カバー体の周壁にスリットを設けることにより、内方に弾性変形可能にして弾性復帰可能な掛止板部を形成し、且つ前記押しボタンの外側に、該押しボタンが継続噴射可能な押し下げ位置において内方に弾性変形させた前記掛止板部と係合可能な上向き突起を形成し、内方に弾性変形させた前記カバー体の掛止板部に前記押しボタンの上向き突起を係合させることにより継続噴射を可能とするとともに、前記押しボタンを更に押圧して下降させることにより、前記掛止板部と押しボタンとの係合が解除されて、継続噴射の中止を可能とした。
【００１２】
スリットが、カバー体の周壁の周方向へ延びて設けられている構成とすることが好ましい。
【００１３】
また、掛止板部が、カバー体の周壁上端に開放された縦方向の二条のスリットで形成され、前記掛止板部の上端内側には押しボタンの上向き突起と係合する下向き突起が形成されている構成としてもよい。
【００１４】
また、前記縦方向の二条のスリットで形成された掛止板部が、カバー体の周壁の中心を挟んで対向して形成されている構成としてもよい。
【発明の効果】
【００１５】
本発明の残留ガス排出機構付きエアゾール容器によれば、カバー体の周壁にスリットを設けることにより形成した掛止板部を、内方に弾性変形可能にして且つ弾性復帰可能としたので、従来周知の残留ガス排出機構と同様に、廃棄に際して、残留ガスの継続噴射を可能とするとともに、押しボタンを更に押圧して下降させることにより、掛止板部と押しボタンとの係合が解除されて、残ガス処理の継続噴射を速やかに中止できるようにしたので、作業者がガス抜き作業中に用事が発生してガス抜き作業を中断しなければならない場合でも、ガス抜き作業を速やかに安全に中断して対処することができる。
【発明を実施するための最良の形態】
【００１６】
以下、本発明の残留ガス排出機構付きエアゾール容器の好適な実施の形態を、図面を参照しながら詳細に説明する。
【００１７】
図１乃至図１０は、本発明の残留ガス排出機構付きエアゾール容器の第一の実施の形態を示しており、図２乃至図３に示すように、この実施の形態の残留ガス排出機構付きエアゾール容器は、エアゾール缶２の上端をエアゾールバルブ３で密閉し中央に上下動可能に上方へ付勢された状態のバルブステム４が起立する容器本体１と、容器本体１の上端部に嵌着されたカバー体１０と、バルブステム４に嵌着されて前記カバー体１０の内側に上下動可能に配備された押しボタン３０と、を有し構成されている。
【００１８】
容器本体１は、噴射用の液化ガスと流動性の内容物が充填されたエアゾール缶２の口部にエアゾールバルブ３をクリンプして密閉して成り、エアゾール缶２の肩部には、カバー体１０の周壁１１下端に設けた内向きの環状突起１２とアンダーカット係合する係合用の周溝５が凹設されている。
【００１９】
カバー体１０は、円形の頂壁１３の端縁から周壁１１が垂下形成された略キャップ状を呈し、カバー体の周壁１１の上部には押しボタン３０の噴口３１が覗く窓穴１４が形成されている。また、窓穴１４と直径沿いに対向する周壁１１には、周壁１１から頂壁１３にかけて窓穴１４よりも大きく切り欠いた指挿入用の切欠部１５が形成されている。
【００２０】
切欠部１５の下方には、切欠部１５と所定間隔をおいて平行するカバー体１０の周壁１１の周方向へ延びるスリット１６が設けられている。このスリット１６の上部の周壁部は、押圧すれば内方に弾性変形可能にして、押圧を解除すれば弾性復帰可能な掛止板部１７となっている。
【００２１】
この係止板部１７は、押しボタン３０の押し下げ時に、掛止板部１７を内方に弾性変形させて、押しボタン３０の係合手段と係合させることにより、押しボタン３０を押し下げ状態に維持して継続噴射を可能とする残留ガス抜き機構を構成している。そして、掛止板部１７の係合状態から更に押しボタン３０を下降させることにより、押しボタン３０と掛止板部１７との係合が外れると、掛止板部１７は弾性的に自己復帰して押しボタン３０をフリーにする。
【００２２】
また、カバー体１０の頂壁１３には、破断可能な複数の連結片１８を介して引き離し可能に保護板１９が一体形成されている。この保護板１９は、窓穴１４側に前側縁１９ａを有し切欠部１５側に円弧の後側縁１９ｂを自由端とした末広がりの舌片状の板部に垂壁１９ｃが垂下形成されたものであり、その平面形状は、保護板１９下面に位置する押しボタン３０の平面形状の大部分とほぼ相似形を呈している。
【００２３】
保護板１９は、使用以前に、不用意に押しボタン３０が押されてしまったり、不正使用の防止を目的に設けたものであり、使用するときは、切欠部１５に指を入れ保護板１９を上方に引き上げて連結片１８を破断して引き離す。図４は、押しボタン３０を装着したカバー体１０を示しており、図５乃至図６は、押しボタン３０を装着したカバー体１０の保護板１９を引き離して取り去った状態を示している。
【００２４】
また、カバー体１０における保護板１９の下方は、保護板１９の側縁に沿って頂壁１３から垂下する前板２０と、窓穴１４側を前方として末広がりに対面する二枚の側板２１、２１と、による押しボタン３０が作動可能に収納された押しボタン３０のガイド部となっている。
【００２５】
ガイド部を構成する各側板２１、２１の下端前方には、押しボタン３０の前方に設けた一対の回転軸３２が回動自在に嵌合する一対の軸受孔２２が形成され、各側板２１、２１の後方には、押しボタン３０の後方に設けた一対のガイド突起３３を上下方向に案内する一対のガイド溝２３が切り欠かれている。また、前板２０の下端が押しボタン３０の上面前方に当接していて、押しボタン３０の上方への動きを抑制している。
【００２６】
押しボタン３０は、カバー体１０のガイド部の側板２１にその両側面３４を接して配置されている。押しボタン３０は、その噴口３１側を前方として平面形状が末広がりに形成されており、その上面後方には指掛け凹所３５が形成され、指掛け凹所３５の後端下方には、後方に延びる端縁円弧の円弧板３６が設けられ、円弧板３６の後端縁中央には上向き突起３７が突設されており、この上向き突起３７が残留ガス抜き機構を構成する押しボタン３０側の係合手段となっている。
【００２７】
押しボタン３０には、バルブステム４に嵌合し内容物が通過する縦通路３８と、縦通路３８に直交して連通し先端に噴口３１を有する横通路３９が穿設されている。横通路３９の噴口３１はカバー体１０の窓穴１４を覗く位置にある。押しボタン３０の噴口３１の下方には、カバー体１０の内周壁に弾性的に接する板バネ４０が垂設されている。
【００２８】
また、押しボタン３０は、その前方に垂設した脚板４１の回転軸３２がガイド部側板２１の軸受孔２２に回動自在に嵌合し、その後方に垂設した脚板４２のガイド突起３３がガイド部側板２１のガイド溝２３に昇降可能に嵌合して作動可能に取り付けられている。
【００２９】
上記の部材から成るエアゾール容器を組み立てるには、予め押しボタン３０をカバー体１０の下方からガイド部に挿入して組み付けておく。そして、このカバー体１０を容器本体１に被せて治具を使って押圧すれば、カバー体１０の周壁１１下端に設けた内向きの環状突起１２とエアゾール缶２の肩部の周溝５がアンダーカット係合すると共に、押しボタン３０の縦通路３８にバルブステム４が嵌合して簡単に組み立てることができる。
【００３０】
図７は、押しボタン３０の指掛け凹所３５を押圧して作動させた噴射状態を示しており、廃棄の為に残留ガスを継続噴射状態に維持するには、図８に示すように、押しボタン３０を押圧したまま、掛止板部１７を押圧して内方に弾性変形させ、押しボタン３０の上向き突起３７を掛止板部１７に係合させればよい。
【００３１】
ガス抜き作業を中断しなければならないときは、掛止板部１７に係合状態の押しボタン３０を押して更に下降させれば、掛止板部１７が自身の弾性反転力で弾性復帰して押しボタン３０との係合状態が解除される。したがって、押しボタン３０はフリーとなり、その押圧を中止すれば、押しボタン３０は、バルブステム４の上昇力と板バネ４０の弾性復帰力により静止位置に寸時に復帰する。このように、押しボタン３０を指を使って押し離すという、指による瞬時のアクションで残留ガスの排出処理作業を中断することができる。
【００３２】
図９乃至図１０は、第二の実施の形態を示しており、この容器の基本的形態は先の実施の形態と同様であるので、共通する部分については同一符号を付し、その説明を省略する。
【００３３】
この容器にあっては、カバー体１０ａの周方向に延びるスリット１６ａによって形成さた掛止板部１７ａは、周壁１１の内側、即ち、内周壁面２４に沿って形成されている。この掛止板部１７ａは、第一の実施の形態における掛止板部１７と同様に、内方に弾性変形可能にして且つ弾性復帰可能に設定されており、作動方法や作用効果も同様である。
【００３４】
この実施の形態によれば、合成樹脂製のカバー体１０ａを成形する射出成形用の金型を、複雑な割型構造にすることなくスリット１６ａの形成が可能である。したがって、制作費が安価な構造の経済的な金型を用いて、周壁周方向に延びる掛止板部１７ａが形成されたカバー体１０ａを生産することができる。
【００３５】
図１１乃至図１２は、第三の実施の形態を示しており、この実施の形態におけるカバー体１０ｂは、容器本体１ｂのクリンプリム６に嵌着する台部２５の上面に、上端に内向きのフランジ２７を有する周壁１１が立設され、この周壁１１には、周壁上端に開放された縦方向の二条のスリット１６ｂ、１６ｂで形成された掛止板部１７ｂ、１７ｂが周壁１１の中心を挟んで対向して形成され、各掛止板部１７ｂ、１７ｂは、内方に弾性変形可能にして且つ弾性復帰可能に設定されている。また、各掛止板部１７ｂ、１７ｂの上端内側には、押しボタン３０ｂの上向き突起３７と係合可能な下向き突起２６がフランジ２７の下面に縦断面鉤形状に形成されている。
【００３６】
円筒形の押しボタン３０ｂには、外周縁に上向き突起３７が周設されたフランジ４３が形成されており、押しボタン３０ｂは、カバー体１０ｂ内において上下動可能に容器本体１ｂのバルブステム４に装着されている。
【００３７】
廃棄の為に残留ガスを継続噴射状態に維持するときは、図１２に示すように、押しボタン３０ｂを押圧したまま、一対の掛止板部１７ｂ、１７ｂを指で押して内方に弾性変形させ、押しボタン３０ｂの上向き突起３７に掛止板部１７ｂ、１７ｂの下向き突起２６を係合させればよい。
【００３８】
ガス抜き作業を中断するときは、係合状態の押しボタン３０ｂを押して更に下降させれば、掛止板部１７ｂ、１７ｂが自身の弾性反転力で弾性復帰して押しボタン３０ｂとの掛止板部１７ｂ、１７ｂとの係合状態が解除される。
【００３９】
尚、この実施の形態では、一対の掛止板部１７ｂ、１７ｂを設けたが、掛止板部１７ｂは一カ所でも有効に作用するので一カ所でもよい。
【００４０】
図１３乃至図１４は、第四の実施の形態を示しており、この実施の形態におけるカバー体１０ｃは、容器本体１ｃのクリンプリム６に嵌着する台部２５の上面に上端に内向きのフランジ２７を有する周壁１１が立設され、この周壁１１には、周壁上端に開放された縦方向の二条のスリット１６ｃ、１６ｃで形成された掛止板部１７ｃが形成され、掛止板部１７ｃは、内方に弾性変形可能にして且つ弾性復帰可能に設定されている。また、掛止板部１７ｃの上端内側には、押しボタン３０ｃの上向き突起３７と係合可能な下向き突起２６がフランジ２７の下面に縦断面鉤形状に形成されている。
【００４１】
本実施の形態における押しボタン３０ｃは、発泡製品やクリーム状製品に適用されるものである。円形の基盤４４の中央下面にバルブステム４に嵌合する縦通路管４５が垂設され、基盤４４の上面の中央寄りに縦通路管４５に連通するノズル４６が立設され、このノズル４６の基部に沿った基盤上に押圧台４７が形成され、この押圧台４７が形成された基盤４４の外縁に沿って上向き突起３７が形成されている。そして、カバー体１０ｃの開口部に位置するこの押しボタン３０ｃは、その上向き突起３７をカバー体の掛止板部１７ｃの側に位置させて、掛止板部１７ｃと直径に沿い対向するカバー体の周壁１１のフランジ２７と連結ヒンジ４８を介して一体に連結成形されている。
【００４２】
廃棄の為に残留ガスを継続噴射状態に維持するときは、押しボタン３０ｃの押圧台４７を押圧したまま、掛止板部１７ｃを指で押して内方に弾性変形させ、押しボタン３０ｃの上向き突起３７に掛止板部１７ｃの下向き突起２６を係合させればよい。
【００４３】
ガス抜き作業を中断するときは、既述した実施の形態と同様に、係合状態の押しボタン３０ｃの押圧台４７を押して更に下降させれば、掛止板部１７ｃが自身の弾性反転力で弾性復帰して、押しボタン３０ｃとの掛止板部１７ｃとの係合状態が解除され、フリーとなった押しボタン３０ｃによる噴射を直ちに停止することができる。
【図面の簡単な説明】
【００４４】
【図１】本発明の残留ガス排出機構付きエアゾール容器における第一の実施の形態を示す平面図。
【図２】図１の容器の縦断面図。
【図３】図１の容器の分解斜視図。
【図４】図１の容器におけるカバー体に押しボタンを装着した状態を示す斜視図。
【図５】図４に示すカバー体の保護板を取り去った状態を示す斜視図。
【図６】図５を噴口の側から見た斜視図。
【図７】図１の容器における噴射作動状態を示す従断面図。
【図８】図７に示す容器における残留ガス排出機構の作動状態を示す縦断面図。
【図９】本発明の第二の実施の形態を示す縦断面図。
【図１０】図９の容器における押しボタンを装着したカバー体の保護板を取り去った状態を示す斜視図。
【図１１】本発明の第三の実施の形態を示す分解斜視図。
【図１２】図１１の容器の主要部を破断して示す説明図。
【図１３】本発明の第四の実施の形態を示す分解斜視図。
【図１４】図３の容器の縦断面図。
【符号の説明】
【００４５】
１、１ａ、１ｂ、１ｃ  容器本体，２  エアゾール缶，３  エアゾールバルブ，４  バルブステム，１０、１０ａ、１０ｂ、１０ｃ  カバー体，１６、１６ａ、１６ｂ、１６ｃ  スリット，１７、１７ａ、１７ｂ、１７ｃ  掛止板部，２６  下向き突起，３０、３０ａ、３０ｂ、３０ｃ  押しボタン，３７  上向き突起
【図１】
2007320648.tif 000003
【図２】
2007320648.tif 000004
【図３】
2007320648.tif 000005
【図４】
2007320648.tif 000006
【図５】
2007320648.tif 000007
【図６】
2007320648.tif 000008
【図７】
2007320648.tif 000009
【図８】
2007320648.tif 000010
【図９】
2007320648.tif 000011
【図１０】
2007320648.tif 000012
【図１１】
2007320648.tif 000013
【図１２】
2007320648.tif 000014
【図１３】
2007320648.tif 000015
【図１４】
2007320648.tif 000016